(57)【特許請求の範囲】
【請求項１】
記録媒体に記録された静止画像、メニュー項目またはマークに対応する縮少画像をそれぞれ異なるファイルに記録する１段階；及び
静止画像、メニュー項目またはマークと連結された縮少画像ファイルがあるか否かを示す情報を記録する２段階を含むことを特徴とする記録媒体への縮少画像記録方法。
【請求項２】
前記２段階は、前記情報をデジタルビデオレコーダで決められている管理情報である再生リストまたは静止画像情報ファイル内に記録することを特徴とする請求項１に記載の記録媒体への縮少画像記録方法。
【請求項３】
前記情報は、再生リストのマーク情報内に記録されることを特徴とする請求項２に記載の記録媒体への縮少画像記録方法。
【請求項４】
前記マーク情報は、マーク類型と、プレーアイテム番号、ピクチャ番号、縮少画像であるか否かのフラグ及びマーク生成時間を含むことを特徴とする請求項３に記載の記録媒体への縮少画像記録方法。
【請求項５】
前記情報は、静止画像情報ファイルのスチールクリップマーク情報内に記録されることを特徴とする請求項２に記載の記録媒体への縮少画像記録方法。
【請求項６】
前記スチールクリップマーク情報は、マークの類型と、静止画像グループＩＤ、ピクチャ番号、縮少画像であるか否かのフラグ及びマーク生成時間を含むことを特徴とする請求項５に記載の記録媒体への縮少画像記録方法。
【請求項７】
データ記録媒体において、
記録媒体に記録された静止画像、メニュー項目またはマークに対応する縮少画像をそれぞれ異なるファイルに記録する１段階と、
静止画像、メニュー項目またはマークと連結された縮少画像ファイルがあるか否かを示す情報を記録する２段階とによって記録されたデータを含むことを特徴とする記録媒体。
【発明の詳細な説明】
【０００１】
【発明の属する技術分野】
本発明は、静止画像に対する縮少画像、すなわちサムネイルを再記録可能記録媒体に記録する方法に関する。
【０００２】
【従来の技術】
最近では高画質の動画像ビデオデータまたは高音質のオーディオデータを長時間記録することができる大容量高密度光ディスクであるＤＶＤが開発されて市場に発表されている。広く普及することが期待されている。ＤＶＤの種類には、再生専用のＤＶＤ−ＲＯＭ、１回だけ記録可能なＤＶＤ−Ｒ、そして再記録可能なＤＶＤ−ＲＡＭまたはＤＶＤ−ＲＷ（DVD-Rewritable）などがあり、ＤＶＤ−ＲＡＭまたはＤＶＤ−ＲＷ等に動画像データ及びオーディオデータを記録するための記録フォーマットに対する規格化作業が進行中である。
【０００３】
一方、高画質の静止画像と、その静止画像に対応するデジタルオーディオデータを格納することができる比較的大容量のメモリなどを装着したデジタルスチルカメラ（ＤＳＣ：Digital Still Camera）も開発されて市場に発表されている。同様に、広く商用化されることが期待されている。このときの静止画像は、ＪＰＥＧ方式またはＴＩＦＦ方式のフォーマットを有し、オーディオデータは、ＰＣＭ方式またはｕ−Ｌａｗ  ＰＣＭ方式、またはＩＭＡ−ＡＤＰＣＭ方式のフォーマットを有する。
【０００４】
デジタルスチルカメラにより記録される静止画像及びオーディオデータは、広く知られたようにＤＣＦ（Design rule for Camera File system）方式のファイル構造を有する。ＤＣＦファイル構造は、図１に示したように、ルート（ＲＯＯＴ）ディレクトリの下に最上位のＤＣＩＭ（Digital Camera IMages）ディレクトリを有し、ＤＣＩＭディレクトリの下に、相互に重複しない３ケタの一連の番号、例えば１００ないし９９９のいずれか一つと、ユーザーが任意に指定できる５ケタの文字が組合された総８ケタの名前を有する最大９００個のディレクトリを有する。
【０００５】
そして、８ケタの名前を有する任意のディレクトリ、例えば、図１の‘１００ＡＢＣＤＥ’ディレクトリには、ユーザーにより任意に指定できる４ケタの文字と、他の属性のファイルの場合には相互に重複しない４ケタの一連番号が組合された総８ケタの名前を有する複数のファイルを記録することがＤけいる。このファイルは、ＪＰＥＧ方式の記録フォーマットを有する静止画像ファイルである*.ＪＰＧ、ＴＩＦＦ方式の記録フォーマットを有する静止画像ファイル*.ＴＩＦ、ＰＣＭ方式、ｕ−Ｌａｗ  ＰＣＭ方式、またはＩＭＡ−ＡＤＰＣＭ方式の記録フォーマットを有するウェイブオーディオファイル*.ＷＡＶなどである。ファイルの属性が異なる場合、即ち、拡張子が相異なった場合には同一のファイル名を有することができる。これは任意の静止画像に対してオーディオをダビングする場合ファイル名を同一にすることによって相互に連結できるようにするためである。
【０００６】
一方、デジタルビデオレコーダにより記録されるビデオ及びオーディオデータは、図２に示したようなファイル構造で記録される。図２のファイル構造は、ルートディレクトリの下の最上位にＤＶＲディレクトリを有し、ＤＶＲディレクトリの下に、メニュー（Ｍｅｎｕ）データ及びマーク（Ｍａｒｋ）データを含んでいるメニューファイルｍｅｎｕ.ｔｄａｔ及びマークファイルｍａｒｋ.ｔｄａｔが記録され、そのメニューファイル及びマークファイル内のデータを指示するためのインデックスファイルｍｅｎｕ.ｔｉｄｘ、Ｍａｒｋ.ｔｉｄｘなどが含まれる。
【０００７】
そして、ＤＶＲディレクトリ下には、タイトル管理（ＴｉｔｌｅＭａｎａｇｅｍｅｎｔ）情報、動画像プレーアイテム（ＰｌａｙＩｔｅｍ−ｍｏｖｉｅ）及び静止画像プレーアイテム（ＰｌａｙＩｔｅｍ−ｓｔｉｌｌ）情報を含んでいるＰｌａｙＬｉｓｔファイルである*.ｒｐｌｓ、*.ｖｐｌｓを含めて記録されるＰＬＡＹＬＩＳＴディレクトリと、動画像ストリーム管理（Ｍｏｖｉｅ  Ｓｔｒｅａｍ  Ｍａｎａｇｅｍｅｎｔ）及び動画像属性（Ｍｏｖｉｅ  Ａｔｔｒｉｂｕｔｅｓ）情報などを含んでいるクリップ情報（Ｃｌｉｐ  Ｉｎｆｏｒｍａｔｉｏｎ）ファイル*.ｃｌｐｉを含めて記録されるＣＬＩＰＩＮＦディレクトリと、実際の動画像ストリームファイルである*.ｍ２ｔｓを含めて記録されるＳＴＲＥＡＭディレクトリ、そして静止画像に対する管理及び属性情報などを含んでいる静止画像情報ファイルである*.ｓｔｌｉを含めて記録されるＳＴＩＬＬＩＮＦディレクトリを含めて記録される。
【０００８】
一方、前述したような大容量の記録媒体には数多くの静止画像を記録することができるのに、数多くの記録静止画像から所望する静止画像を簡単に探すためには記録された静止画像に対する縮少画像を記録しておく必要がある。
【０００９】
このような縮少画像の記録を、前記のように知られた記録構造に如何に埋め込むかに対して関連企業等間で論議されているが、いまだ、最終案が確定されていない状態である。
【００１０】
【発明が解決しようとする課題】
本発明は前記のような状況を勘案して創作されたものであり、デジタルビデオレコーダが静止画像に対する縮少画像を記録媒体に記録する多様な方法をメニュー項目として提供することが目的である。
【００１１】
【課題を解決するための手段】
前記のような目的を達成するための本発明による再記録可能高密度記録媒体の縮少画像記録方法は、記録媒体に記録された静止画像、メニュー項目またはマークに対応する縮少画像を、縮少画像を集団的に管理する一つの管理ファイルに記録する１段階；及びその記録された縮少画像を、それに対応する静止画像、メニュー項目またはマークと連結させる連結情報を記録する２段階と含むことを特徴とする。
【００１２】
本発明による他の再記録可能高密度記録媒体の縮少画像記録方法は、記録媒体に記録された静止画像、メニュー項目またはマークに対応する縮少画像をそれぞれ異なるファイルに記録する１段階；及び静止画像、メニュー項目またはマークと連結された縮少画像ファイルがあるか否かを示す情報を記録する２段階を含むことを特徴とする。
【００１３】
【発明の実施の形態】
以下、本発明による再記録可能高密度記録媒体の縮少画像記録方法に対する望ましい実施形態に対して、添付された図面を参照しながら詳細に説明する。
【００１４】
図２は、本発明による再記録可能記録媒体への静止画像記録方法が適用される光ディスク装置の構成を示したものである。
【００１５】
図２のディスク装置は、例えばデジタルビデオレコーダでよい、再記録可能記録媒体にビデオ及びオーディオデータと、再生制御のための管理情報（Navigation Information）を記録する。
【００１６】
図２のディスク装置は、第１及び第２スイッチ１０、１１、静止画像ビデオエンコーダ１２、静止画像オーディオエンコーダ１３、動画像ビデオエンコーダ１４、動画像オーディオエンコーダ１５、ＭＰＥＧ２多重化装置１６、フォーマット構成部１７、ＤＶＲエンコーダ信号処理部１８が入力信号のために設けられ、第３及び第４スイッチ３０、３１、静止画像ビデオデコーダ３２、静止画像オーディオデコーダ３３、動画像ビデオデコーダ３４、動画像オーディオデコーダ３５、ＭＰＥＧ２多重分離装置３６、パーサ３７、ＤＶＲデコーダ信号処理部３８が出力信号のために設けられ、全体的なシステム制御のために制御部１９が含まれる。
【００１７】
そして第１及び第２スイッチ１０、１１は、外部から入力されるビデオ及びオーディオデータを、制御部１９のスイッチング制御により静止画像ビデオ及びオーディオエンコーダ１２、１３に選択出力したり、または動画像ビデオ及びオーディオエンコーダ１４、１５に選択出力する。
【００１８】
一方、静止画像ビデオ及びオーディオエンコーダ１２、１３は、デジタルスチルカメラＤＳＣでのように、第１及び第２スイッチ１０、１１を通して選択して出力された静止画像のビデオデータをＪＰＥＧ方式またはＴＩＦＦ方式のフォーマットで、静止画像のオーディオデータをＰＣＭ方式、ｕ−Ｌａｗ  ＰＣＭ方式またはＩＭＡ−ＡＤＰＣＭ方式のフォーマットで符号化する。
【００１９】
動画像ビデオ及びオーディオエンコーダ１４、１５は、第１及び第２スイッチ１０、１１を通して選択して出力された動画像のビデオデータをＭＰＥＧ２方式のフォーマットで、動画像のオーディオデータをＡＣ−３方式、ＭＰＥＧ  １  ｌａｙｅｒ  ２方式またはＬＰＣＭ方式のフォーマットで符号化する。ＭＰＥＧ２多重化装置１６は、動画像ビデオ及びオーディオエンコーダ１４、１５を通して各々符号化された動画像ビデオ及びオーディオデータをＭＰＥＧ２ストリームで多重化してフォーマット構成部１７に出力する。
【００２０】
フォーマット構成部１７は、静止画像ビデオ及び／またはオーディオエンコーダ１２、１３により符号化された静止画像ビデオ及びオーディオデータが入力されると、その静止画像ビデオ及び／またはオーディオデータを再記録可能記録媒体に適する記録大きさに構成すると同時に、記録用ヘッダ情報を付加して記録した後、ＤＶＲエンコーダ信号処理部１８に出力する。このとき、フォーマット構成部１７は同時に入力された静止画像の縮少画像を形成する。縮少画像に対する要件は予め決めておくことができる。
【００２１】
また、フォーマット構成部１７は、そのフォーマッティングされた静止画像ビデオ及び／またはオーディオデータ、そして形成された縮少画像をサーチ及び再生制御するための管理情報を生成して制御部１９に送る。
【００２２】
動画像ビデオ及びオーディオエンコーダ１４、１５により符号化された動画像ビデオ及びオーディオデータと、ＭＰＥＧ２多重化装置１６により多重化されたＭＰＥＧ２ストリームが入力されると、フォーマット構成部１７は、その動画像ビデオ及びオーディオデータ、またはＭＰＥＧ２ストリームを選択して再記録可能記録媒体に適する記録大きさに構成すると同時に、記録用ヘッダ情報を付加し、それらを記録して、ＤＶＲエンコーダ信号処理部１８に出力する。また、そのフォーマッティングされた動画像ビデオ及びオーディオデータをサーチ及び再生制御するための管理情報を生成して制御部１９に送る。
【００２３】
ＤＶＲエンコーダ信号処理部１８は、フォーマッティングされた静止画像ビデオ、縮少画像及びオーディオデータ、または動画像ビデオ及びオーディオデータをエラー訂正コードＥＣＣブロックとして構成し、記録用信号に変換して再記録可能記録媒体に記録する。このとき制御部１９は、記録されるデータの類型によってＤＶＲエンコーダ信号処理部１８の信号記録を制御する。すなわち、データの記録場所、ディレクトリとファイルなどを決定する。必要な場合ユーザーから情報の入力を受ける。
【００２４】
また、ＤＶＲエンコーダ信号処理部１８は、ビデオ及び／またはオーディオデータの記録途中または記録完了後にフォーマット構成部１７から受け取った管理情報を再記録可能記録媒体に記録する。
【００２５】
以下、前記のようなデータ記録作動により行われる多様な縮少画像記録方法に対して詳細に説明する。
【００２６】
図４ないし図８は、本発明の第１実施形態による縮少画像記録過程と、それによって記録管理される管理情報を示したものである。本発明の第１実施形態による縮少画像記録方法は、デジタルビデオレコーダが動画像データ記録構造と互換される構造を用いて、静止画像に対応する縮少画像を記録管理することである。この構造では、すべての縮少画像を、例えば一つのマークファイルｍａｒｋ.ｔｄａｔに記録して、また一つのマークインデックスファイルＭａｒｋ.ｔｉｄｘに各縮少画像に対する位置情報を記録すると同時に、再生リスト（ＰｌａｙＬｉｓｔ）のマークフィールドテーブルに縮少画像の位置インデックス情報を記録しておいて必要な縮少画像データをサーチして再生できるようにする。
【００２７】
制御部１９は、図２を参照して前述した、ＰＬＡＹＬＩＳＴディレクトリに含めて記録された再生リストを代表するマークまたはメニュー項目（PlayList representative mark or menu）に対応する縮少画像と、ユーザーブックマーク（User Bookmark）または再開マーク（Resume mark）等に対応する縮少画像Ｔを、図４に示したように、ＤＶＲディレクトリの下にあるマークファイルｍａｒｋ.ｔｄａｔまたはメニュー項目ファイルｍｅｎｕ.ｔｄａｔに含めて記録したり、または個別ファイルとして各々記録する。このときの縮少画像は、記録される静止画像が選択されたとき、フォーマット構成部１７でその静止画像に対応させて縮少することによって得ることができる。
【００２８】
また、制御部１９は、任意の１つの再生リストがカバーするファイルシステム（File System）により管理されるディスクファイル（Disc Files）に含まれている少なくとも一つ以上の静止画像または静止画像グループ（ＳＰＧ：Still Picture Group）内の任意の１静止画像に対応するスチールクリップマーク（Still Clip Mark）に対してもその静止画像の縮少画像Ｔをフォーマット構成部１７で構成させて、マークファイルｍａｒｋ.ｔｄａｔまたはメニュファイルｍｅｎｕ.ｔｄａｔに記録する。このときのスチールクリップマークはユーザーにより指定されたものである。
【００２９】
制御部１９は、前記のように生成してマークファイルまたはメニューファイルに記録された縮少画像に対する連結情報を、図５に示したように、再生リスト及び静止画像情報ディレクトリ（Stillinf）の下の静止画像情報ファイル*.ｓｔｌｉに複数のマークＭａｒｋ  ＃１．．．．Ｍａｒｋ  ＃ｍ情報に付加記録する。このマーク情報は、マークインデックスファイルＭａｒｋ.ｔｉｄｘまたはメニューインデックスファイルＭｅｎｕ.ｔｉｄｘ内の各インデックス項目Ｉｄｘ  ＃１．．．Ｉｄｘ  ＃ｐを指すインデックス値を有し、各インデックス項目は、マークファイルまたはメニュー項目ファイルに記録された任意の１縮少画像をサーチ再生できるようにするための縮少画像の開始アドレス情報（Start Address）と記録大きさ情報（Size）などを含めて記録することができる。
【００３０】
また、マーク情報Ｍａｒｋ  ＃１．．Ｍａｒｋ  ＃ｍは、図５に示したように、縮少画像が連結されている静止画像を指す情報、例えば開始アドレス及び大きさ情報を有するファイルシステム上における割り当て単位を指す情報も含む。
【００３１】
一方、再生リストは、図６に示したように、前述したマーク情報を再生リストマーク（PlayListMark）フィールドに収容する。再生リストマークフィールドは、複数のマーク情報に対する個数情報（number of marks）を含めて記録されるマーク一般情報Ｍａｒｋ＿ＧＩと、複数のマーク情報Ｍａｒｋ  ＃１、Ｍａｒｋ＃２．．Ｍａｒｋ  ＃ｋを含む。各マーク情報は、マークの類型ｍａｒｋ＿ｔｙｐｅ、プレーアイテム番号Ｐｌａｙｉｔｅｍ＿ｎｕｍｂｅｒ、ピクチャ番号Ｐｉｃｔｕｒｅ＿ｎｕｍｂｅｒ、縮少画像インデックス番号Ｔhｕｍｂ＿ｉｎｄｅｘ、マークの生成時間（Created Time）情報などを含む。
【００３２】
また、静止画像グループと関連したスチールクリップマーク情報を、図７と同一構造の情報を有する静止画像情報ファイル*.ｓｔｌｉに記録することもできる。図７の静止画像情報は、静止画像情報に対する一般情報Ｓｔｉｌｌｉｎｆｏ＿ＧＩと、静止画像グループ情報ＳＰＧＩ、そしてスチールクリップマーク情報を含む。スチールクリップマーク情報には、複数のマーク情報に対する個数情報を含めて記録するマーク一般情報Ｍａｒｋ＿ＧＩと、複数のマーク情報Ｍａｒｋ  ＃１、Ｍａｒｋ  ＃２．．Ｍａｒｋ  ＃ｋを含む。また、各マーク情報には、マークの類型ｍａｒｋ＿ｔｙｐｅ、静止画像グループＩＤＳＰＧ＿ＩＤ、ピクチャ番号Ｐｉｃｔｕｒｅ＿ｎｕｍｂｅｒ、縮少画像インデックスＴhｕｍｂ＿ｉｎｄｅｘ、マーク生成時間情報などが含まれる。
【００３３】
そして、インデックスファイル*.ｔｉｄｘには、図８に示したように、縮少画像インデックス管理情報（ThumbIndex）が記録される。縮少画像インデックス管理情報は、インデックスの個数（number of index）情報を含んで記録される縮少画像インデックスに対する一般情報ＴhｕｍｂＩｎｄｅｘ＿ＧＩと、複数のインデックス情報Ｉｎｄｅｘ  ＃１、Ｉｎｄｅｘ  ＃２．．．Ｉｎｄｅｘ  ＃ｋを含む。インデックス情報は、そのインデックスが指す縮少画像に対する開始アドレス及びサイズ情報を含んでいる。
【００３４】
したがって、前記のような縮少画像への連結情報を利用して、再生リストを代表するメニュー項目またはマークに対応する縮少画像を、または再生マーク等に対応する縮少画像をマークファイルまたはメニューファイルから読み出して表現できる。
【００３５】
また、記録された静止画像またはグループＳＰＧ内の静止画像中のスチールクリップマークが付加された静止画像に対応する縮少画像も、前記のように構成された連結情報を利用して、マークファイルまたはメニューファイルから読み出して表現できる。
【００３６】
図９ないし図１２は、本発明の第２実施形態による縮少画像記録過程と、それによって記録管理される管理情報を示したものである。本第２実施形態による縮少画像記録方法は、デジタルビデオレコーダが、デジタルスチルカメラＤＳＣの記録構造と互換される構造であって、縮少画像データを各々の縮少画像ファイル*.ＴＨＭに記録する構造である。
【００３７】
制御部１９は、図９に示したように、縮少画像ファイルをデジタルスチルカメラにおけるＤＣＦディレクトリ及びファイル構造によって、一つの縮少画像単位で生成して、管理情報領域に別途に縮少画像データファイルが存在しないようにし、代わりに、図１０に示したように、代わりに再生リストなどの各マーク情報には、縮少画像に対する存在の有無を示すフラグが連結情報の代わりに記録される。
【００３８】
図９に示したように、静止画像グループＳＰＧで選定された各静止画像に対応する縮少画像Ｔを、一般ファイルの一つである*.ＴＨＭとして記録して、図１０に示したように、縮少画像の存在有無を示すフラグＴhｕｍｂ＿ｆｌａｇ（縮少画像が存在する場合‘１’の値を有して、縮少画像が存在しない場合‘０’の値を有する）を再生リストまたは静止画像情報ファイルに確保されているマーク情報に付加記録する。
本第２実施形態のための再生リストは、図１１に示したような構造を有する。図１１の再生リストは再生リストマークフィールドを有する。その再生リストマークフィールドは複数のマーク情報に対する個数情報を含んで記録されるマーク一般情報Ｍａｒｋ＿ＧＩと、複数のマーク情報Ｍａｒｋ  ＃１、Ｍａｒｋ  ＃２．．Ｍａｒｋ  ＃ｋを含む。各マーク情報は、マークの類型ｍａｒｋ＿ｔｙｐｅ、プレーアイテム番号Ｐｌａｙｉｔｅｍ＿ｎｕｍｂｅｒ、ピクチャ番号Ｐｉｃｔｕｒｅ＿ｎｕｍｂｅｒ、そして縮少画像であるか否かのフラグＴhｕｍｂ＿ｆｌａｇ、マークの生成時間情報などを含む。
【００３９】
マークの類型は、再生リストを代表するマークメニュー項目、ユーザーブックマーク、そして再開マークなどを示し、ピクチャ番号を、ファイル番号、ファイル名またはエントリー番号（entry number）等に代替して記録してもよい。
【００４０】
また、静止画像グループと関連したスチールクリップマーク情報は、図１２のような構造の情報を有する静止画像情報ファイル*.ｓｔｌｉに記録してもよい。図１２の静止画像情報は、静止画像情報に対する一般情報Ｓｔｉｌｌｉｎｆｏ＿ＧＩと、静止画像グループ情報ＳＰＧＩ、そしてスチールクリップマーク情報を含む。スチールクリップマーク情報には、複数のマーク情報に対する個数情報を含んで記録されるマーク一般情報Ｍａｒｋ＿ＧＩと、複数のマーク情報Ｍａｒｋ＃１、Ｍａｒｋ  ＃２．．Ｍａｒｋ  ＃ｋを含む。各マーク情報には、マークの類型ｍａｒｋ＿ｔｙｐｅ、静止画像グループＩＤＳＰＧ＿ＩＤ、ピクチャ番号Ｐｉｃｔｕｒｅ＿ｎｕｍｂｅｒ、そして縮少画像であるか否かのフラグＴhｕｍｂ＿ｆｌａｇ、マーク生成時間情報などを含めることができる。
【００４１】
したがって、デジタルスチルカメラＤＳＣの記録フォーマットのように、一つのファイル*.ＴＨＭとして縮少画像が記録される実施形態では、マーク情報が縮少画像があることを指している場合（Ｔhｕｍｂ＿ｆｌａｇが‘１’の場合）にピクチャ番号のファイルと同一のファイル名でありながら拡張子が‘ＴＨＭ’であるファイルがファイルシステムを通して読み出されて縮少画像として表現される。
【００４２】
参考に、図１３に示したように、本発明の第１実施形態と第２実施形態を混用して、静止画像、マーク及びメニュー項目等に対応する縮少画像を縮少画像管理用ファイルに集団的にそして個別的な画像ファイルとして一緒に再記録可能高密度記録媒体に記録して利用することもできる。
【００４３】
また、本発明による縮少画像記録方法は、図３のように構成される光ディスク装置以外のまた他の構成手段で構成される光ディスク装置で実現することもできる。
【００４４】
以上、前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能なことである。
【００４５】
【発明の効果】
前記のようになされる本発明による再記録可能高密度記録媒体の縮少画像記録方法は、ユーザーが、静止画像、マークまたはメニュー項目等に連結された縮少画像を通して簡単に所望する静止画像記録位置を探すことができるという効果がある。
【図面の簡単な説明】
【図１】デジタルスチルカメラが採択しているファイルシステムを例示的に示したものであって、
【図２】デジタルビデオレコーダが採択しているファイルシステムを例示的に示したものであって、
【図３】本発明による再記録可能記録媒体の縮少画像記録方法が適用される光ディスク装置に対する構成を示したものであって、
【図４】本発明の第１実施形態による縮少画像記録過程と、それによって記録管理される管理情報を示したものであって、
【図５】本発明の第１実施形態による縮少画像記録過程と、それによって記録管理される管理情報を示したものであって、
【図６】本発明の第１実施形態による縮少画像記録過程と、それによって記録管理される管理情報を示したものであって、
【図７】本発明の第１実施形態による縮少画像記録過程と、それによって記録管理される管理情報を示したものであって、
【図８】本発明の第１実施形態による縮少画像記録過程と、それによって記録管理される管理情報を示したものであって、
【図９】本発明の第２実施形態による縮少画像記録過程と、それによって記録管理される管理情報を示したものであって、
【図１０】本発明の第２実施形態による縮少画像記録過程と、それによって記録管理される管理情報を示したものであって、
【図１１】本発明の第２実施形態による縮少画像記録過程と、それによって記録管理される管理情報を示したものであって、
【図１２】本発明の第２実施形態による縮少画像記録過程と、それによって記録管理される管理情報を示したものであって、
【図１３】本発明の第３実施形態による縮少画像記録過程を示したものである。
【符号の説明】
１０、１１、３０、３１：スイッチ
１２：静止画像ビデオエンコーダ
１３：静止画像オーディオエンコーダ
１４：動画像ビデオエンコーダ
１５：動画像オーディオエンコーダ
１６：多重化装置（ＭＵＸ）
１７：フォーマット構成部
１８：ＤＶＲエンコーダ信号処理部
１９：制御部
３２：静止画像ビデオデコーダ
３３：静止画像オーディオデコーダ
３４：動画像ビデオデコーダ
３５：動画像オーディオデコーダ
３６：多重分離装置（Ｄｅ−ＭＵＸ）
３７：パーサ（Ｐａｒｓｅｒ）
３８：ＤＶＲデコーダ信号処理部
【図１】
0003947113.tif 000002
【図２】
0003947113.tif 000003
【図３】
0003947113.tif 000004
【図４】
0003947113.tif 000005
【図５】
0003947113.tif 000006
【図６】
0003947113.tif 000007
【図７】
0003947113.tif 000008
【図８】
0003947113.tif 000009
【図９】
0003947113.tif 000010
【図１０】
0003947113.tif 000011
【図１１】
0003947113.tif 000012
【図１２】
0003947113.tif 000013
【図１３】
0003947113.tif 000014